(57)【要約】【課題】熟練を要さない簡単な操作で、正確かつ信頼性の高い分析結果を低コスト、短時間で得られるマイクロ流体チップを得る。【解決手段】検体液と前処理試薬とを投入する第１ポートＰＴ−Ａと、反応増幅試薬を投入する第２ポートＰＴ−Ｄと、流路内に空気圧を供給する第３ポートＰＴ−Ｂ及び第４ポートＰＴ−Ｃと、検体液と前処理試薬とを混合して第１混合液を生成する第１の流路Ａと、第１混合液を加熱する第２の流路Ｂと、第１混合液に反応増幅試薬を合流させる第３の流路Ｃと、第２の混合液が通過する酵素を固化実装した第４の流路Ｄと、第４の流路Ｄで処理される第２の混合液への酵素混合を助長する第５の流路Ｅと、第５の流路Ｅに接続され、流路内に固化実装されたプライマーの溶解、加熱によるＤＮＡ増幅等の検出を行う複数の第６の流路Ｆと、第６の流路Ｆに接続され第２混合液を複数の第６の流路Ｆに定量分注する第７の流路とを設けた。【選択図】図１
2008151771.tif 000002
【特許請求の範囲】
【請求項１】
複数種の核酸配列を検出するための流路を備えたマイクロ流体チップであって、
核酸を含む検体液と第１液とを投入する第１ポートと、
第２液を投入する第２ポートと、
前記流路内に空気圧を供給する第３ポートと、
前記第１ポートから投入された検体液と前記第１液とを混合して第１混合液を生成する第１の流路（Ａ）と、
前記第１混合液を加熱する第２の流路（Ｂ）と、
前記第２の流路（Ｂ）で処理された前記第１混合液に第２液を合流させる第３の流路（Ｃ）と、
前記第３の流路（Ｃ）で合流された第２混合液が通過することにより溶解する第１固体を実装した第４の流路（Ｄ）と、
前記第４の流路（Ｄ）で処理される第２混合液への前記第１固体の混合を助長する第５の流路（Ｅ）と、
前記第５の流路（Ｅ）に接続され、流路内に固化実装された第２固体を有する第６の流路（Ｆ）と、
前記複数の第６の流路に接続され前記第５の流路（Ｅ）で処理された第２混合液を前記複数の第６の流路（Ｆ）それぞれに定量分注するための第７の流路（Ｇ）と、
を有して構成されるマイクロ流体チップ。
【請求項２】
請求項１記載のマイクロ流体チップであって、
前記第１液が前処理試薬で構成されているマイクロ流体チップ。
【請求項３】
請求項１又は２記載のマイクロ流体チップであって、
前記第２液が反応増幅試薬で構成されているマイクロ流体チップ。
【請求項４】
請求項１〜３のいずれか１項記載のマイクロ流体チップであって、
前記第１固体に酵素が混合されているマイクロ流体チップ。
【請求項５】
請求項１〜４のいずれか１項記載のマイクロ流体チップであって、
前記第２固体にプライマーが混合されているマイクロ流体チップ。
【請求項６】
請求項１〜５のいずれか１項記載のマイクロ流体チップであって、
前記マイクロ流体チップが、血液中に含まれる複数種の核酸配列の有無を検出するためのものであるマイクロ流体チップ。
【請求項７】
請求項１〜６のいずれか１項記載のマイクロ流体チップであって、
前記マイクロ流体チップが、一塩基多型の有無を検出するためのものであるマイクロ流体チップ。
【請求項８】
請求項１〜７のいずれか１項記載のマイクロ流体チップであって、
前記第６の流路（Ｆ）において等温でＤＮＡ増幅反応を行うマイクロ流体チップ。
【請求項９】
請求項１〜８のいずれか１項記載のマイクロ流体チップであって、
前記ＤＮＡ増幅で発生する蛍光を検出可能とする透光性を有しているマイクロ流体チップ。
【請求項１０】
請求項１〜９のいずれか１項記載のマイクロ流体チップであって、
前記第１の流路（Ａ）が、液体の流動方向に直交する方向の断面積が他の流路における断面積に比して大きい広幅流路部と、該広幅流路部より前記断面積が小さい狭幅流路部とが交互に形成されているマイクロ流体チップ。
【請求項１１】
請求項１〜１０のいずれか１項記載のマイクロ流体チップであって、
前記第３の流路（Ｃ）が、前記第２液を保持するポートと、前記混合液が送液される主流路と、該主流路の途中に配設され前記ポートと連通させるポート出口流路と、を有して構成されており、それぞれの流路に対する毛細管力の大小関係が  ポート出口流路＞主流路＞ポート  であるマイクロ流体チップ。
【請求項１２】
請求項１〜１１のいずれか１項記載のマイクロ流体チップであって、
前記第４の流路（Ｄ）は、前記第１固体を固化実装する保持部の流路上流側と下流側が、前記保持部よりも狭幅の流路に形成されているマイクロ流体チップ。
【請求項１３】
請求項１〜１２のいずれか１項記載のマイクロ流体チップであって、
前記第５の流路（Ｅ）は複数の液溜め室を有し、前記第４の流路（Ｄ）は前記複数の液溜め室の間に配設され、前記混合液が前記複数の液溜め室間を往復することにより前記第４の流路（Ｄ）に第１固体が溶解、混合されるマイクロ流体チップ。
【請求項１４】
請求項１〜１３のいずれか１項記載のマイクロ流体チップであって、  前記第５の流路は、前記第１および第２ポートから前記第３ポートまでの流路途中に設けられ、前記第１および第２ポート側から順に第１混合部と第２混合部とを配置してなり、
前記第１混合部および第２混合部は、それぞれ前記第１混合液が流動する方向の垂直断面積が他の流路における垂直断面積に比して大きい第１流路部と、該第１流路部より垂直断面積が小さい第２流路部とが交互に形成され、
前記第１混合部における前記第１流路部の垂直断面積が前記第２混合部における前記第１流路部の垂直断面積より小さく、
前記第１混合部における前記第１流路部の流路方向長さが前記第２混合部における前記第１流路部の流路方向長さより長く形成されているマイクロ流体チップ。
【請求項１５】
請求項１〜１４のいずれか１項記載のマイクロ流体チップであって、
前記第６の流路（Ｆ）の第２固体が、流路上側に固化させて配置したマイクロ流体チップ。
【請求項１６】
請求項１〜１５のいずれか１項記載のマイクロ流体チップであって、
前記第６の流路（Ｆ）に配置されたプライマーが、加熱により溶解する物質に混合して固化されたものであるマイクロ流体チップ。
【請求項１７】
請求項１〜１６のいずれか１項記載のマイクロ流体チップであって、
前記第６の流路（Ｆ）が、前記プライマーを保持する反応検出セルと、該反応検出セルの上流側流路と、下流側流路と、により構成され、前記反応検出セル全体と、前記上流側流路及び前記下流側流路の前記反応検出セル側の流路の一部からなる被加熱領域の厚みが、他の領域より薄く形成されているマイクロ流体チップ。
【請求項１８】
請求項１〜１７のいずれか１項記載のマイクロ流体チップであって、
前記反応増幅試薬による増幅反応を密閉空間内で行うために、前記第１、第２、第３ポートの全てを閉塞する閉塞部材を備えたマイクロ流体チップ。
【請求項１９】
請求項１〜１８のいずれか１項記載のマイクロ流体チップであって、
前記第６の流路（Ｆ）の流路内面が、流路内を液体が流れる際に該液体により充填されない微小な隙間空間の形成を防止する連続した円滑面からなるマイクロ流体チップ。
【請求項２０】
請求項１〜１９のいずれか１項記載のマイクロ流体チップであって、
前記各流路の流路内面が、少なくとも２段階以上の濡れ性を有しているマイクロ流体チップ。
【発明の詳細な説明】
【技術分野】
【０００１】
本発明は、血液等の生体物質を分析するマイクロ流体チップに関する。
【背景技術】
【０００２】
近年の分子生物学の進歩により、血液等の生体物質を分析する事により、病気の治療における薬剤投与の効果や副作用の体質による個人差を予知することが可能であることが示されてきており、これを利用して、個人個人にとって最適な治療を施していこうという気運が高まっている。例えば、特定の遺伝子と、特定の治療薬剤の効果や副作用が強く相関することがわかっている場合、この情報を特定の患者の治療に役立てるためには、患者の遺伝子の塩基配列を知る必要がある。内因性遺伝子の変異又は一塩基多型（ＳＮＰ）に関する情報を得るための遺伝子診断は、そのような変異又は一塩基多型を含む標的核酸の増幅及び検出により行なうことができる。このため、サンプル中の標的核酸を迅速且つ正確に増幅及び検出し得る簡便な方法が求められる。
【０００３】
この場合、被検出物質と特異的に結合する抗体又は抗原等のタンパク質或いは一本鎖の核酸をプローブに使い、微粒子、ビーズ、ガラス板等の固相表面に固定し、被検出物質と抗原抗体反応又は核酸ハイブリダイゼーションを行う。そして、酵素等の検知感度の高い標識物質を担持した特異的な相互作用を有する標識化物質、例えば標識化抗体や標識化抗原又は標識化核酸等を用いて、抗原抗体化合物や２本鎖の核酸を検出して、被検物質の有無の検出或いは被検物質の定量を行っている。
【０００４】
この種の技術として、例えば特許文献１に開示される細菌芽胞処理チップ及び細菌芽胞処理装置は、芽胞を形成した細菌を含む試料が供給される注入口と、注入口に供給された試料に導入される発芽促進剤を保管する発芽促進液保管部と、試料と発芽促進剤とを混合した液に導入される溶解液を保管する溶解液保管部と、試料と発芽促進剤と溶解液とを混合し、試料から遺伝子が溶出される遺伝子溶出部と、溶出遺伝子と結合する遺伝子結合担体を備える遺伝子抽出部と、遺伝子抽出部に導入される洗浄液を保管する洗浄液保管部と、遺伝子抽出部に導入される溶離液を保管する溶離液保管部と、溶離液により溶離された遺伝子が導入される反応部とを備え、取扱いが容易で安価、且つ細菌芽胞から遺伝子の抽出・分析までが一括して自動化できるように図られている。
【０００５】
また、特許文献２に開示される核酸増幅基板は、ガラス板からなる第一層とシリコンゴムからなる第二層が積層されたものである。第二層には、第一層との接触面側に微細な溝加工が施され、第一層と第二層の間で空隙が形成されている。核酸増幅基板では、空隙のパターン（溝パターン）によって４系統の核酸増幅・分離流路が形成されている。核酸増幅・分離流路は、反応液溜部と電気泳動部を有し、これらの周辺に反応液往復流路、反応液吸引路、核酸供給路が設けられたものである。反応液溜部は、正面視が略正方形の空隙内にジグザクで迷路状の流路を設けたものである。これにより、基板上でＰＣＲ等の核酸増幅反応を行う核酸増幅基板において、核酸増幅反応工程において反応液が洩れることのないように図られている。
【０００６】
さらに、特許文献３に開示される生体物質検査デバイスは、試薬類・送液系用のエレメントを搭載した、検体ごとのマイクロリアクタなるチップ・コンポーネント、デバイス本体である制御・検出コンポーネントとを別個にシステム構成することにより、極微量分析、増幅反応に対して、クロス・コンタミネーション、キャリーオーバー・コンタミネーションが生じ難く図られている。
【０００７】
【特許文献１】特開２００５−２５３３６５号公報
【特許文献２】特開２００６−１１５７４１号公報
【特許文献３】特開２００６−１２５９９０号公報
【特許文献４】特開２００５−１６０３８７号公報
【発明の開示】
【発明が解決しようとする課題】
【０００８】
しかしながら、特定の遺伝子の塩基配列を知る従来の方法としては、ＤＮＡシーケンサーや、ＮＤＡマイクロアレイ等が知られているが、これらには、一般的に装置やチップのコストが高く、検査に要する時間も長い等、種々の問題があった。すなわち、特許文献１においては、遺伝子の抽出、分析を一括して自動化できるが、単一の項目のみしか検出できないという問題があった。
また、特許文献２においては、複数の項目を一括して検査できるが、遺伝子の抽出、検体の分注、増幅に必要な試薬の準備は前処理として行う必要があり、手動操作で行う場合は操作が煩雑な上、熟練が必要であり、誤操作によるコンタミ等により間違った結果を得てしまう危険性があった。自動操作で行う場合、装置が複雑、大型化し、高価になるという問題があった。
さらに、特許文献３においては、複数の項目を一括して検査できるチップが開示されているが、予め設定された圧力に達すると液体の通過を許可するための送液制御部や、流路内の液体の逆流を防止する逆流防止部等の複雑な立体的構造を必要とし、回路が非常に複雑であり、多項目の検査を行おうとした場合、高価なチップになってしまうという問題があった。
一方、特許文献４にはターゲット遺伝子のみを増幅し、これを比較的簡便な検出系で分析する核酸の増幅法及び核酸増幅用プライマーセットが提案されているが、この反応を一般の生化学分析で用いられているマイクロチューブを用いたピペット操作による方法で行う場合、試薬類の準備、ピペッティングの操作、装置への出し入れ等、操作が煩雑であるとともに、熟練が必要であるという問題があった。特に、複数のターゲット遺伝子を分析する場合、操作の煩雑さにより薬液のとり間違いやコンタミの危険性が増大し、検査結果の信頼性が不足するという問題があった。
【０００９】
本発明は上記状況に鑑みてなされたもので、熟練を要さない簡単な操作で、正確かつ信頼性の高い分析結果を低コスト、短時間で得られるマイクロ流体チップを提供することを目的としている。
【課題を解決するための手段】
【００１０】
本発明の上記目的は、下記構成により達成される。
（１）  複数種の核酸配列を検出するための流路を備えたマイクロ流体チップであって、
核酸を含む検体液と第１液とを投入する第１ポートと、
第２液を投入する第２ポートと、
前記流路内に空気圧を供給する第３ポートと、
前記第１ポートから投入された検体液と前記第１液とを混合して第１混合液を生成する第１の流路（Ａ）と、
前記第１混合液を加熱する第２の流路（Ｂ）と、
前記第２の流路（Ｂ）で処理された前記第１混合液に第２液を合流させる第３の流路（Ｃ）と、
前記第３の流路（Ｃ）で合流された第２混合液が通過することにより溶解する第1固体を実装した第４の流路（Ｄ）と、
前記第４の流路（Ｄ）で処理される第２混合液への前記第１固体の混合を助長する第５の流路（Ｅ）と、
前記第５の流路（Ｅ）に接続され、流路内に固化実装された第２固体を有する第６の流路（Ｆ）と、
前記複数の第６の流路に接続され前記第５の流路（Ｅ）で処理された第２混合液を前記複数の第６の流路（Ｆ）それぞれに定量分注するための第７の流路（Ｇ）と、
を有して構成されるマイクロ流体チップ。
【００１１】
このマイクロ流体チップによれば、検体液と第1液とを投入する第１ポート、第２液を投入する第２ポート、流路内に空気圧を供給する第３ポートに加え、各種試薬との混合、混合液の定量分注のための流路を構成手段として備えることにより、有限な液体が、特に、能動的なバルブやポンプを内臓していないシンプルな流路によっても、チップ外部からの空圧駆動で複雑にハンドリング可能となる。つまり、立体的に複雑な構造を必要とせず、簡単な構造で送液制御が可能となる。これにより、検体と液体試薬を投入するだけで、自動的に所望の液滴操作、化学反応を行い、ピペッティングの操作、装置への出し入れ等の煩雑な操作を不要にして、高い分析結果が得られる。
【００１２】
（２）  （１）項記載のマイクロ流体チップであって、
前記第１液が前処理試薬で構成されているマイクロ流体チップ。
【００１３】
このマイクロ流体チップによれば、検体液と前処理試薬とが混合されることになる。
【００１４】
（３）  （１）又は（２）記載のマイクロ流体チップであって、
前記第２液が反応増幅試薬で構成されているマイクロ流体チップ。
【００１５】
このマイクロ流体チップによれば、第１混合液に搬送増幅試薬が混合される。
【００１６】
（４）  （１）〜（３）のいずれか１項記載のマイクロ流体チップであって、
前記第１固体に酵素が混合されているマイクロ流体チップ。
【００１７】
このマイクロ流体チップによれば、酵素が第２液の通過により溶解する。
【００１８】
（５）  （１）〜（４）のいずれか１項記載のマイクロ流体チップであって、
前記第２固体にプライマーが混合されているマイクロ流体チップ。
【００１９】
このマイクロ流体チップによれば、第２固体にプライマーが混合されることで、ＤＮＡ増幅が行われる。
【００２０】
（６）  （１）〜（５）のいずれか１項項記載のマイクロ流体チップであって、
前記マイクロ流体チップが、血液中に含まれる複数種の核酸配列の有無を検出するためのものであるマイクロ流体チップ。
【００２１】
このマイクロ流体チップによれば、血液（全血）が検体とされ、標的核酸を増幅してこれを検出することで、感染症の原因となる病原体に特異的な標的核酸の増幅及び検出が可能となり、検体中の該病原体の存否が判定可能となる。
【００２２】
（７）  （１）〜（６）のいずれか１項記載のマイクロ流体チップであって、
前記マイクロ流体チップが、一塩基多型の有無を検出するためのものであるマイクロ流体チップ。
【００２３】
このマイクロ流体チップによれば、血液（全血）が検体とされ、ターゲット配列の核酸が特異的に増幅するための反応とその検出とがマイクロ流体チップ上で行われ、一塩基多型の複数ターゲット遺伝子が検査可能となる。
【００２４】
（８）  （１）〜（７）のいずれか１項記載のマイクロ流体チップであって、
前記第６の流路（Ｆ）において等温でＤＮＡ増幅反応を行うマイクロ流体チップ。
【００２５】
このマイクロ流体チップによれば、等温増幅反応により、使用する酵素の活性が一定に維持できる温度に保たれる。ここで、「等温」とは、酵素およびプライマーが実質的に機能しうるような、ほぼ一定の温度をいう。さらに、「ほぼ一定の温度」とは、酵素及びプライマーの実質的な機能を損なわない程度の温度変化であれば許容されることを意味する。
【００２６】
（９）  （１）〜（８）のいずれか１項記載のマイクロ流体チップであって、
前記ＤＮＡ増幅で発生する蛍光を検出可能とする透光性を有しているマイクロ流体チップ。
【００２７】
このマイクロ流体チップによれば、透光性を有することで、検出試薬に例えばサイバーグリーンが用いられ、反応によって増幅された２本鎖ＤＮＡにインターカレートすることで発する蛍光が測定可能となる。これにより、ターゲットとする遺伝子配列の存在の有無が検出可能となる。
【００２８】
（１０）  （１）〜（９）のいずれか１項記載のマイクロ流体チップであって、
前記第１の流路（Ａ）が、液体の流動方向に直交する方向の断面積が他の流路における断面積に比して大きい広幅流路部と、該広幅流路部より前記断面積が小さい狭幅流路部とが交互に形成されているマイクロ流体チップ。
【００２９】
このマイクロ流体チップによれば、第１ポートに投入された血液が、第１の流路に到達すると、広幅流路部と狭幅流路部とが交互に形成された流路を通過することで、オリフィス作用による撹拌が複数回行われ、血液と前処理試薬とが均一に混合される。
【００３０】
（１１）  （１）〜（１０）のいずれか１項記載のマイクロ流体チップであって、
前記第３の流路（Ｃ）が、前記第２液を保持するポートと、前記混合液が送液される主流路と、該主流路の途中に配設され前記ポートと連通させるポート出口流路と、を有して構成されており、それぞれの流路に対する毛細管力の大小関係が  ポート出口流路＞主流路＞ポート  であるマイクロ流体チップ。
【００３１】
このマイクロ流体チップによれば、ポート出口流路と主流路の接続部とによってラプラス圧バルブが構成され、加熱処理された血液と前処理試薬に反応増幅試薬が合流する。すなわち、ポートに投入した反応増幅試薬は主流路に流出することなく、ポート出口流路と主流路の接続面で留まる。また、血液と前処理試薬の混合液がポート出口流路に到着すると、ラプラス圧バルブが破壊され、２液体が合流することになる。
【００３２】
（１２）  （１）〜（１１）のいずれか１項記載のマイクロ流体チップであって、
前記第４の流路（Ｄ）は、前記第１固体を固化実装する保持部の流路上流側と下流側が、前記保持部よりも狭幅の流路に形成されているマイクロ流体チップ。
【００３３】
このマイクロ流体チップによれば、保持部の上流と下流の流路が、保持部より細くなっていることで、乾燥固化した試薬の流路への密着力が無い場合であっても、チップの保存、運搬等の振動により固化試薬が剥がれ落ちて前後の流路へ流出してしまうことが防止される。
【００３４】
（１３）  （１）〜（１２）のいずれか１項記載のマイクロ流体チップであって、
前記第５の流路（Ｅ）は複数の液溜め室を有し、前記第４の流路（Ｄ）は前記複数の液溜め室の間に配設され、前記混合液が前記複数の液溜め室間を往復することにより前記第４の流路（Ｄ）に第１固体が溶解、混合されるマイクロ流体チップ。
【００３５】
このマイクロ流体チップによれば、血液、前処理試薬、反応増幅試薬の合流液が複数の液溜め室の間を往復することにより、酵素１、酵素２が溶解し、これら酵素１、酵素２と合流液とが均一に混合される。
【００３６】
（１４）  （１）〜（１３）のいずれか１項記載のマイクロ流体チップであって、  前記第５の流路は、前記第１および第２ポートから前記第３ポートまでの流路途中に設けられ、前記第１および第２ポート側から順に第１混合部と第２混合部とを配置してなり、
前記第１混合部および第２混合部は、それぞれ前記第１混合液が流動する方向の垂直断面積が他の流路における垂直断面積に比して大きい第１流路部と、該第１流路部より垂直断面積が小さい第２流路部とが交互に形成され、
前記第１混合部における前記第１流路部の垂直断面積が前記第２混合部における前記第１流路部の垂直断面積より小さく、
前記第１混合部における前記第１流路部の流路方向長さが前記第２混合部における前記第１流路部の流路方向長さより長く形成されているマイクロ流体チップ。
【００３７】
このマイクロ流体チップによれば、第１混合部における第１流路部の垂直断面積を第２混合部における第１流路部の垂直断面積より小さく形成し、第１混合部における第１流路部の流路方向長さを第２混合部における第１流路部の流路方向長さより長く形成したので、メニスカス曲面液端の進行度合いに差異の生じ難い第１混合部にて複数種の液体が予備混合される。そして、混合性能の高い第２混合部においては、異なる濡れ性の液体が対向内表面に接触することによるメニスカス曲面液端の進行度合いの差異を抑制しつつ混合処理できる。これにより、濡れ性の異なる複数液体を混合部に導入する場合であっても、混合部内に液未充填部（気泡）が形成されることがなく、液物性の異なる複数の液体、或いは固体溶解液を安定的に混合することができる。
【００３８】
（１５）  （１）〜（１４）のいずれか１項記載のマイクロ流体チップであって、
前記第６の流路（Ｆ）の第２固体が、流路上側に固化させて配置したマイクロ流体チップ。
【００３９】
このマイクロ流体チップによれば、マイクロチップ使用状態では流路の上面に第２固体が配置され、下面から加熱されることにより、液体の温度上昇に伴って溶解した第２固体は、比重が大きい場合に重力により流路内下側に流動する。
【００４０】
（１６）  （１）〜（１５）のいずれか１項記載のマイクロ流体チップであって、
前記第６の流路（Ｆ）に配置されたプライマーが、加熱により溶解する物質に混合して固化されたものであるマイクロ流体チップ。
【００４１】
このマイクロ流体チップによれば、プライマーが、加熱により溶解する物質である例えばゼラチンと混合して固化され、ゼラチンの重力による流路下側への流動と、液体の加熱による対流の相乗効果により、プライマー及びゼラチンはセル内に短時間で均一に混合拡散される。
【００４２】
（１７）  （１）〜（１６）のいずれか１項記載のマイクロ流体チップであって、
前記第６の流路（Ｆ）が、前記プライマーを保持する反応検出セルと、該反応検出セルの上流側流路と、下流側流路と、により構成され、前記反応検出セル全体と、前記上流側流路及び前記下流側流路の前記反応検出セル側の流路の一部からなる被加熱領域の厚みが、他の領域より薄く形成されているマイクロ流体チップ。
【００４３】
このマイクロ流体チップによれば、被加熱領域の厚みが、他の領域より薄く形成され、均一な加熱が可能となる。
【００４４】
（１８）  （１）〜（１７）のいずれか１項記載のマイクロ流体チップであって、
前記反応増幅試薬による増幅反応を密閉空間内で行うために、前記第１、第２、第３ポートの全てを閉塞する閉塞部材を備えたマイクロ流体チップ。
【００４５】
このマイクロ流体チップによれば、増幅反応前に第１、第２、第３ポートの全てが閉塞部材によって閉塞され、増幅反応がチップ密閉状態で行われる。これにより、チップを密閉しない状態で増幅反応を行った場合、増幅されたＤＮＡがチップ外に流出して環境を汚染し、キャリーオーバーを生じさせる危険性が回避される。
【００４６】
（１９）  （１）〜（１８）のいずれか１項記載のマイクロ流体チップであって、
前記第６の流路（Ｆ）の流路内面が、流路内を液体が流れる際に該液体により充填されない微小な隙間空間の形成を防止する連続した円滑面からなるマイクロ流体チップ。
【００４７】
このマイクロ流体チップによれば、流路内面が、微小な隙間空間の形成されない連続した円滑面からなり、加熱の際に流路内に気泡が発生しなくなる。これにより、蛍光検出精度の低下が防止される。
【００４８】
（２０）  （１）〜（１９）のいずれか１項記載のマイクロ流体チップであって、
前記各流路の流路内面が、少なくとも２段階以上の濡れ性を有しているマイクロ流体
チップ。
【００４９】
このマイクロ流体チップによれば、濡れ性の異なる樹脂が用いられて、成形流路基板の流路内面が親水化、又は撥水化され、各反応・検出セルへの分注時に液体がスムーズに進入し、出口部でのラプラス圧バルブによる停止が安定に行えるようになる。
【発明の効果】
【００５０】
本発明に係るマイクロ流体チップによれば、生体細胞（核酸）を含む検体液と第１液とを投入する第１ポートと、第２液を投入する第２ポートと、流路内に空気圧を供給する第３ポートと、第１ポートから投入された検体液と第１液とを混合して第１混合液を生成する第１の流路（Ａ）と、第１混合液を加熱する第２の流路（Ｂ）と、第２の流路（Ｂ）で処理された第１混合液に第２液を合流させる第３の流路（Ｃ）と、第３の流路（Ｃ）で合流された第２混合液が通過することにより溶解する第1固体を実装した第４の流路（Ｄ）と、第４の流路（Ｄ）で処理される第２混合液への第１固体の混合を助長する第５の流路（Ｅ）と、第５の流路（Ｅ）に接続され、流路内に固化実装された第２固体を有する第６の流路（Ｆ）と、複数の第６の流路に接続され第５の流路（Ｅ）で処理された第２混合液を複数の第６の流路（Ｆ）それぞれに定量分注するための第７の流路（Ｇ）とを備えたので、立体的に複雑な構造を必要とせず、簡単な構造で送液制御が行えるとともに、ピペッティングの操作、装置への出し入れ等の煩雑な操作が不要になり、熟練を要さない簡単な操作で、正確かつ信頼性の高い分析結果を低コスト、短時間で得ることができる。
【発明を実施するための最良の形態】
【００５１】
以下、本発明に係るマイクロ流体チップの好適な実施の形態について、図面を参照して詳細に説明する。
図１は本発明に係るマイクロ流体チップを検査装置の概略構成と共に表したブロック図である。
本発明の第１実施形態に係るマイクロ流体チップ（以下、単に「チップ」とも称す。）１００は、検査装置１１にセットされて使用され、一回の使用後に廃棄される。本実施の形態は、検体である血液（全血）がマイクロ流体チップ１００に注入される。マイクロ流体チップ１００は、検査装置１１にセットされることで、チップ外部からの物理的作用力によって検体液がハンドリングされ、例えば一塩基多型の複数ターゲット遺伝子が検査されるものであり、特開2005-160387に示されているような、ターゲット配列の核酸を等温で特異的に増幅するための反応とその検出をチップ１００上で実現可能とするものである。これにより、例えば、標的核酸を増幅してこれを検出することで、感染症の原因となる病原体に特異的な標的核酸の増幅及び検出が可能となり、検体中の該病原体の存否等が判定可能となる。
【００５２】
本実施の形態において、物理的作用力は、液流路の始点と終点に設けたポート部ＰＴからエア供給又はエア吸引することにより発生する空気圧作用力（空圧駆動力）である。したがって、液流路内に供給された液体が、液流路の始点と終点とに作用されるエア供給又はエア吸引により、液流路内の所望位置へ移動制御可能となる。この際、液体は、始点と先端部、後端部と終点との間に介在する気体に挟持された状態で保持され、引っ張り力の作用により途中で分断されることがない。
【００５３】
なお、ＤＮＡ増幅反応は、等温増幅反応により、使用する酵素の活性が一定に維持できる温度に保たれる。ここで、「等温」とは、酵素およびプライマーが実質的に機能しうるような、ほぼ一定の温度をいう。さらに、「ほぼ一定の温度」とは、酵素及びプライマーの実質的な機能を損なわない程度の温度変化であれば許容されることを意味する。
【００５４】
検査装置１１は、作動流体として空気が使用されるポンプＰＭＰと、バルブＳＶ１，ＳＶ２，ＳＶ３，ＳＶ４，ＳＶ５と、検体加熱部１３と、温調部１５と、液位置検出部１６と、蛍光検出部１７と、これらに接続され検出信号が入力され、或いは制御信号を送出する制御部１９とが基本構成要素として設けられている。また、ポンプＰＭＰとバルブＳＶ４との間には圧力センサＰＳが設けられている。バルブＳＶ４はポンプＰＭＰとバルブＳＶ２との間に介装され、バルブＳＶ２は作動流体制御側がチップ１００の第４ポートＰＴ−Ｃと、バルブＳＶ１は作動流体制御側がチップ１００の第２ポートＰＴ−Ｄと、バルブＳＶ３は作動流体制御側が第１ポートＰＴ−Ａとに接続され、バルブＳＶ２の作動流体制御側とバルブＳＶ１の作動流体入力側はチップ１００の第３ポートＰＴ−Ｂに接続される。また、検体加熱部１３は、チップ１００の被加熱部Ｂを加熱し、温調部１５はチップ１００の反応部Ｆの温度調節を行い、蛍光検出部１７は反応部Ｆの蛍光を検出可能としている。これら各構成要素の動作については後に詳述する。
【００５５】
図２は図１に示したマイクロ流体チップの分解斜視図、図３はマイクロ流体チップの上面視を（ａ）、下面視を（ｂ）に表した平面図である。
マイクロ流体チップ１００は、図２に示すように、流路基板２１と、この流路基板２１の一方の面（下面）２２に貼着される蓋材２３とにより構成されている。流路基板２１は、熱可塑性の高分子ポリマーの射出成形により製作される。使用する高分子ポリマーは、特に限定されないが、光学的に透明であり、耐熱性が高く、化学的に安定であり、射出成形が容易なものが望ましく、ＣＯＰ、ＣＯＣ、ＰＭＭＡ等が好適である。光学的に透明とは、検出に用いる励起光や蛍光の波長において透過性が高く、散乱が小さく、自家蛍光が少ないことである。チップ１００は、蛍光を検出可能とする透光性を有していることで、検出試薬に例えばサイバーグリーンが用いられ、反応によって増幅された２本鎖ＤＮＡにインターカレートすることで発する蛍光が測定可能となる。これにより、ターゲットとする遺伝子配列の存在の有無が検出可能となる。
【００５６】
流路基板２１の他方の面（上面）２８には掘り込み２９，３１が形成され、掘り込み２９，３１は被加熱部Ｂ、反応部Ｆに対応して位置している。また、流路基板２１の下面２２には図３に示すように、上記の第１ポートＰＴ−Ａ、第２ポートＰＴ−Ｄ、第３ポートＰＴ−Ｂ、第４ポートＰＴ−Ｃに連通する開口３３，３５，３７，３９が設けられている。流路基板２１は、外形が例えば縦横Ｗ２，Ｗ１が５５×９１ｍｍであり、厚みｔが２ｍｍ程度で形成される。
【００５７】
蓋材２３は、流路基板２１の流路面（下面２２）に形成されたポート、セル、流路（溝）に蓋をするための部材であり、蓋材２３と流路基板２１は接着剤や粘着剤により接合される。蓋材２３としては、流路基板同様、光学的に透明であり、耐熱性が高く、化学的に安定であるシート状の高分子ポリマーを用いる。本実施の形態では、１００μｍの厚みのＰＣＲ用プレートシールを用いた（プラスチックフィルムに粘着剤が塗布されている）。
【００５８】
図４は図３（ｂ）の拡大図、図５は閉塞部材の貼着前のチップ下面を表した分解斜視図、図６はポート出口流路の近傍を表す要部拡大平面図である。
流路基板２１には、液体に必要な操作（詳しくは後述）するためのポート、セル、流路等が構成されている。すなわち、図４に示すように、流路基板２１は、生体細胞（核酸）を含む検体液と前処理試薬（第１液）とを投入する第１ポートＰＴ−Ａと、反応増幅試薬（第２液）を投入する第２ポートＰＴ−Ｄと、流路内に空気圧を供給する第３ポートＰＴ−Ｂと、減圧される流路終端の第４ポートＰＴ−Ｃと、第１ポートＰＴ−Ａから投入された検体液と前処理試薬とを混合して第１混合液を生成する第１の流路（検体混合部）Ａと、第１混合液を加熱して生体細胞よりＤＮＡを抽出し１本鎖に分解する第２の流路（被加熱部）Ｂと、被加熱部Ｂで処理された第１混合液に反応増幅試薬を合流させる第３の流路（試薬合流部）Ｃと、試薬合流部Ｃで合流された第２混合液が通過することにより溶解が進む酵素（第１固体）を固化実装した第４の流路（酵素保持部）Ｄと、酵素保持部Ｄで処理される第２混合液への酵素の混合を助長する第５の流路（酵素混合部）Ｅと、酵素混合部Ｅに接続され、流路内に固化実装されたプライマー（第２固体）の溶解、加熱によるＤＮＡ増幅、ＤＮＡ増幅の検出を同一位置で行う複数の第６の流路（反応部）Ｆと、反応部Ｆの流路に接続され酵素混合部Ｅで処理された第２混合液を反応部Ｆの複数の反応検出セル２７それぞれに定量分注するための第７の流路（定量分注流路）Ｇとを備える。
【００５９】
第１ポートＰＴ−Ａ、第２ポートＰＴ−Ｄ、第３ポートＰＴ−Ｂ、第４ポートＰＴ−Ｃ（ポート部ＰＴ）は、流路基板２１を上下面に貫通した穴により構成され、蓋材２３を貼り付けることにより、流路と連結した凹部が形成される。各ポート部ＰＴは、流路基板２１の他の部分より若干厚みが大きくなっており、この部分に検査装置１１の送液用のポートパッド（図示せず）が接続される。各ポートパッドは、配管を経由してバルブＳＶ１，ＳＶ２，ＳＶ３，ＳＶ４（バルブＳＶ）に接続される。このバルブＳＶには送液駆動のための上記したポンプＰＭＰが接続されている。これらバルブＳＶとポンプＰＭＰの動作を制御部１９によって制御することにより、ポート部ＰＴの空気を減圧、加圧、大気開放、密閉状態にすることができ、流路内の液滴を自在に搬送することができる。
【００６０】
また、マイクロ流体チップ１００は、所望の搬送が完了した時点で、ポート部ＰＴからポートパッドを脱離し、図５に示すラベルＲａ，Ｒｂ，Ｒｃ，Ｒｄを貼り付けることにより、チップ１００を密閉状態にすることができるようになっている。チップ１００を密閉しない状態で増幅反応を行った場合、増幅されたＤＮＡがチップ外に流出して環境を汚染し、キャリーオーバーの危険性があり、これを防止するために増幅反応前にチップ１００を密閉状態にする。チップ１００を密閉する手段としては、上記のラベルＲａ，Ｒｂ，Ｒｃ，Ｒｄを貼り付ける方法以外に、密閉性のある不図示のキャップによりポート部ＰＴに栓をする方法や、ＵＶ硬化樹脂をポート部ＰＴに流し込んでからＵＶ光を照射して固化させる等、公知の密閉方法を用いることができる。
【００６１】
第１ポートＰＴ−Ａは、検体ポートとして使用され、血液１μＬと前処理試薬３μＬとが投入される。前処理試薬は、血液中の白血球から核酸成分を単離するために用いられる。界面活性剤や強アルカリを用いて化学的に溶解処理が行われる。例えば、界面活性剤として、ノニオン界面活性剤、カチオン界面活性剤、アニオン界面活性剤、両性界面活性剤等が挙げられる。また、血液の凝固を防ぐために、へパリンやEDTA等の凝固防止剤を添加しても良い。
【００６２】
第２ポートＰＴ−Ｄは、液体試薬ポートとして使用され、反応増幅試薬が５６μＬ投入される。反応増幅試薬には、酵素、プライマー以外の増幅反応と検出に必要とする試薬が含まれている。例えば、塩化マグネシウム、酢酸マグネシウム、硫酸マグネシウム等の触媒、ｄＮＴＰミックス等の基質、トリス塩酸バッファー、トライシンバッファー、リン酸ナトリウムバッファー、リン酸カリウムバッファー等の緩衝液を使用することができる。さらに、ジメチルスルホキシド(dimethyl sulfoxide)やベタイン（N,N,N-trimethylglycine）等の添加物、国際公開第９９／５４４５５号パンフレットに記載の酸性物質、陽イオン錯体等を使用してもよい。
【００６３】
検出試薬にはサイバーグリーンを用いることができる。サイバーグリーンは、反応によって増幅された２本鎖ＤＮＡにインターカレートすることにより、強い蛍光を発する。この蛍光強度を測定することにより、ターゲットとする遺伝子配列の存在の有無を検出する。
【００６４】
第３ポートＰＴ−Ｂ、第４ポートＰＴ−Ｃは、送液ポートとして使用され、ポンプＰＭＰやバルブＳＶによって、減圧、加圧や大気開放状態、閉状態に切り替えられるにより流路内の液滴を駆動する。
【００６５】
図６に示すように、検体混合部Ａは、第１ポートＰＴ−Ａに投入した血液と前処理試薬の全量より大きな亀の甲状セルが複数連結した流路になっており、この流路を通過させることにより、第１ポートＰＴ−Ａに投入した血液と前処理試薬を均一に混合する。すなわち、検体混合部Ａの流路は、液体の流動方向に直交する方向の断面積が他の流路における断面積に比して大きい広幅流路部４１と、該広幅流路部４１より断面積が小さい狭幅流路部４３とが交互に形成されている。したがって、第１ポートＰＴ−Ａに投入された血液が、検体混合部Ａに到達すると、液体が流動する方向に沿って広幅流路部４と狭幅流路部４３とが交互に形成された流路を通過することで、オリフィス作用による撹拌が複数回行われ、血液と前処理試薬とが均一に混合される。
【００６６】
被加熱部Ｂは、図１に示す検体加熱部１３により９８℃に加熱される。すなわち、マイクロ流体チップ１００は、液処理の制御動作条件が、液体を液処理部で加熱処理するための加熱設定温度を含む条件となる。例えば、ＰＣＲ（Polymerase Chain Reaction）法による核酸増幅反応等において、液流路内の送液制御により、鋳型ＤＮＡ、プライマー、基質、耐熱性ポリメラーゼ酵素等の混合された反応液が温度調節され、所定の３種類の温度に順次変化されることを繰り返すことで、目的とするＤＮＡが増幅可能となる。本実施の形態では、この部分を血液と前処理試薬が通過することにより、前処理試薬により白血球から抽出されたＤＮＡ２本鎖が１本鎖になる。被加熱部Ｂは、加熱を均一に行うために、流路基板２１には掘り込み２９が設けられ、この部分の厚みが１．２ｍｍ程度に薄くなっている。
【００６７】
試薬合流部Ｃは、加熱処理された血液と前処理試薬に反応増幅試薬を合流させる。第２ポートＰＴ−Ｄにおける流路の毛細管力の大小関係は、ポートＤ出口流路４５＞主流路４７＞ポートＤ流路（第２ポートＰＴ−Ｄ）  という関係になっており、ポートＤ出口流路４５と主流路４７の接続部はラプラス圧バルブが構成されている。第２ポートＰＴ−Ｄに投入した反応増幅試薬は主流路４７に流出することなく、ポートＤ出口流路４５と主流路４７の接続面で留まる。また、後述する操作により血液と前処理試薬の混合液がポートＤ出口流路４５に到着すると、ラプラス圧バルブが破壊され、上記の２液体が合流する。
【００６８】
酵素混合部Ｅは、図４及び図７に示すように、第２ポートＤから順に第１混合部Ｅ１と第２混合部Ｅ２とが配置されてなる。  第１混合部Ｅ１は、液体が流動する方向の垂直断面積が他の流路における垂直断面積に比して大きい第１流路部１１１Ａ，１１１Ｂと、第１流路部１１１Ａ，１１１Ｂより垂直断面積が小さい第２流路部１１３，１１５とが交互に形成されている。すなわち、上流側から前段の第１流路部１１１Ａ、前段の第２流路部１１３、後段の第１流路部１１１Ｂ、後段の第２流路部１１５の順で配設されている。
【００６９】
また、第２混合部Ｅ２は、液体が流動する方向の垂直断面積が他の流路における垂直断面積に比して大きい第１流路部１１１Ｃ，１１１Ｄと、第１流路部１１１Ｃ，１１１Ｄより垂直断面積が小さい第２流路部１１７，１１９とが交互に形成されている。すなわち、上流側から前段の第１流路部１１１Ｃ、前段の第２流路部１１７、後段の第１流路部１１１Ｄ、後段の第２流路部１１９の順で配設されている。
【００７０】
第１混合部Ｅ１における第１流路部１１１Ａ，１１１Ｂの垂直断面積は、第２混合部Ｅ２における第１流路部１１１Ｃ，１１１Ｄの垂直断面積より小さく形成されている。本実施の形態では、各混合部内の深さ（図４の紙面垂直方向深さ）を同一とし、図７に示すように、第１流路部１１１Ａ，１１１Ｂの幅Ｗａを、第１流路部１１１Ｃ，１１１Ｄの幅Ｗｂより小さく（Ｗａ＜Ｗｂ）形成している。また、第１混合部Ｅ１における第１流路部１１１Ａ，１１１Ｂの流路方向長さＬａは、第２混合部Ｅ２における第１流路部１１１Ｃ，１１１Ｄの流路方向長さＬｂより長く（Ｌａ＞Ｌｂ）形成している。本実施の形態では、第１流路部１１１Ａ，１１１Ｂ，１１１Ｃ，１１１Ｄが互いに平行に形成され、第２流路部１１３，１１５，１１７，１１９が上記第１流路部を連結するように形成されているが、これに限らず、任意の配置であって構わない。
【００７１】
このように、本実施の形態による酵素混合部Ｅは、第２混合部Ｅ２の前段に第１混合部Ｅ１が設けられている。詳細は後述するが、第１混合部Ｅ１は細長形状とされることで、複数種の互いに濡れ性の異なる液体が未混合状態で流路内に収容された場合に、仮に流路面に濡れ性の高い液体成分が付着して残っても、濡れ性の違いにより形成されるメニスカス曲面液端が流路中心から偏ることが低減される。これにより、混合部内で気泡が発生することが防止できる。
すなわち、本構成によれば、メニスカス曲面液端の進行度合いに差異の生じ難い第１混合部Ｅ１にて複数種の液体が予備混合される。これにより、混合性能の高い第２混合部Ｅ２において、異なる濡れ性の液体が流路面に接触することにより生じる、メニスカス曲面液端の進行度合いの差異が抑制されるようになっている。
【００７２】
また、前段の第１流路部１１１Ａおよび後段の第１流路部１１１Ｂの各容積は、第２ポートＰＴ−Ｄから送液される１回分の液体全体を収容可能な容積とすることが好ましく、送液される液体全体の容積の８０％以上であることが好ましい。これにより、第１混合部Ｅ１において、前段の第１流路部１１１Ａに液体全体が収容された後、前段の第２混合部１１３を通過して後段の第１流路部１１１Ｂへ収容され、広幅流路部と狭幅流路部とを交互に通過することで、オリフィス作用による撹拌が複数回行われ、複数種の液体同士の混合を促進させることができる。
【００７３】
第１流路部１１１Ａと１１１Ｂとの間の第２流路部１１３には、酵素保持部Ｄが配置される。酵素保持部Ｄは、混合部Ａと同様に、液体が流動する方向に沿って広幅流路部１１５Ａと狭幅流路部１１５Ｂとが交互に形成された流路で構成される。広幅流路部１１５Ａの一部は試薬保持用のセルとなり、ポリミラーゼとデキストリンの水溶解液を点着後、凍結乾燥により乾燥、固化した試薬５７と、MutSとデキストリンの水溶液を点着後、凍結乾燥により乾燥、固化させた試薬５９がそれぞれ保持される。
酵素混合部Ｅでは、血液、前処理試薬、反応増幅試薬の合流液を第１混合部Ｅ１の第１流路部１１１Ａ，１１１Ｂの間を往復させることにより、第１の酵素である試薬５７、第２の酵素である試薬５９を溶解し、前記合流液を混合する。
【００７４】
ここで、図８に、第１流路部の幅（断面積）が大きい場合（ａ）と小さい場合（ｂ）とを比較した様子を示した。第１流路部１１１Ａ（１１１Ｂも同様）内の液体は、流路面が異なる濡れ性となっていることから、液体の進行具合が場所によって異なる。つまり、図８（ａ）に示す幅Ｗ１の場合には、液体Ｌのメニスカス曲面液端は、一方の端部がｅ１、他方の端部がｅ１より距離Ｌ１だけ進行したｅ２となっており、端部ｅ１とｅ２との差がメニスカス曲面液端の大きな偏りとして現れる。これに対して、図８（ｂ）に示す幅Ｗ２の場合には、第１流路部１１１Ａの幅が小さくなっているために、流路面が異なる濡れ性となっていても、発生するメニスカス曲面液端の偏りが小さくなる。すなわち、端部ｅ１、ｅ２との差が流路幅に比例して短くなり、距離Ｌ２が短くなる。その結果、第１流路部の中で気泡が発生することなく、また、液体が第１流路部から無駄に溢れ出すことなく、安定した予備混合が行える。
【００７５】
つまり、第１混合部Ｅ１の第１流路部１１１Ａ，１１１Ｂは、流路部内の液体の液端によって形成されるメニスカスが第１流路部１１１Ａ，１１１Ｂの軸中心５１に対して略対称となる程度に細く形成されている。ここでいう略対称とは、メニスカスの端部ｅ１，ｅ２との差が、流路幅に対して１／４以下となる程度をいう。好ましくは、第１流路部１１１Ａ，１１１Ｂの幅Ｗａと、第１流路部１１１Ｃ，１１１Ｄの幅Ｗｂとの関係は、Ｗａ＝Ｗｂ／２に設定されるとよい。
【００７６】
なお、メニスカス(meniscus)とは、狭い流路内の液体の中央部が、流路内表面に沿う部分に比べて盛り上がったり、または下がったりしてできる曲面を言い、毛管現象によって起こる。また、毛管現象とは、細い流路中の液が流路に沿って流動しようとする現象で、その度合いは液体の表面張力に比例し、流路の断面積に反比例する。また、表面張力とは、液体の表面が自ら収縮してできるだけ小さな面積をとろうとする力で、表面に沿って働く。
【００７７】
マイクロ流体チップ１００では、本実施の形態のように、濡れ性の異なる液体を混合する場合であっても、第１混合部Ｅ１にて予備混合されることで、後段の混合性能の高い第２混合部Ｅ２において、メニスカス曲面液端の進行度合いの差異が抑制される。特に、複数の液体が、血液と希釈液である場合であっても、第１混合部Ｅ１にて血液と希釈液とが確実に予備混合され、これにより、混合性能の高い第２混合部Ｅ２において、メニスカス曲面液端の進行度合いの差異が抑制され、液未充填部の発生を防止して、血液の均一な希釈が可能となる。
【００７８】
なお、図示例では各混合部Ｅ１，Ｅ２で第１流路部がそれぞれ２つずつ設けてあるが、これに限らず、さらに複数の第１流路部が第２流路部と交互に形成されていてもよい。
【００７９】
酵素保持部Ｄの試薬５７，５９が保持された広幅流路部１１５Ａの上流と下流の流路は、その保持部より細くなっており、乾燥固化した試薬５７，５９の流路への密着力が無い場合でも、チップ１００の保存、運搬等の振動により固化試薬５７，５９が剥がれ落ちて前後の流路へ流出してしまうことを防いでいる。
【００８０】
試薬５７のポリメラーゼは、鎖置換（strand displacement）活性（鎖置換能）を有するものであればよく、常温性、中温性、もしくは耐熱性のいずれのものも好適に使用できる。また、このポリメラーゼは、天然体もしくは人工的に変異を加えた変異体のいずれであってもよい。このようなポリメラーゼとしては、ＤＮＡポリメラーゼが挙げられる。さらに、このＤＮＡポリメラーゼは、実質的に５’→３’エキソヌクレアーゼ活性を有しないものであることが好ましい。このようなＤＮＡポリメラーゼとしては、バチルス・ステアロサーモフィルス（Bacillus stearothermophilus、以下「Ｂ．ｓｔ」という）、バチルス・カルドテナックス（Bacillus caldotenax、以下「Ｂ．ｃａ」という）等の好熱性バチルス属細菌由来ＤＮＡポリメラーゼの５’→３’エキソヌクレアーゼ活性を欠失した変異体、大腸菌（Ｅ．ｃｏｌｉ）由来ＤＮＡポリメラーゼＩのクレノウフラグメント等が挙げられる。
【００８１】
デキストリンは酵素の安定化剤として用いられる。これにより、酵素の長期保存が可能になると共に、増幅反応においても、反応液中の酵素が安定化されるため、核酸の増幅効率を高めることが可能となる。その他の酵素安定化剤として、グリセロール、ウシ血清アルブミン、糖類などを用いることができる。
【００８２】
試薬５９は、試薬５７よりも下流側に配置されており、MutSとデキストリンの水溶液を点着後、凍結乾燥により乾燥、固化させた試薬である。MutSは、「ミスマッチ結合タンパク質」（「ミスマッチ認識タンパク質」とも称される）と呼ばれるタンパク質群の１つである。これは、ＤＮＡの２本鎖において部分的に対合できない（ミスマッチ）塩基対が生じたときに、これを修復する機能を有するタンパク質群であり、ＭｕｔＳタンパク質（特表平９−５０４６９９号公報）以外に、ＭｕｔＭタンパク質（特開２０００−３００２６５号公報）などの様々なミスマッチ結合タンパクが知られている。
【００８３】
酵素混合部Ｅでは、血液、前処理試薬、反応増幅試薬の合流液を第１混合部Ｅ１の第１流路部１１１Ａ，１１１Ｂの間を往復させ、試薬５７、試薬５９を溶解し、前記合流液を予備混合する。また、同時に、流路内を消泡させる。さらに、第２混合部Ｅ２の第１流路部１１１Ｃ，１１１Ｄの間を往復させることにより、本混合を行い、前記液体をより均一に混合する。なお、往復時に液滴が気泡を巻き込まないように安定に搬送するために、酵素混合部Ｅは混合液に対して撥水的であることが望ましく、本実施の形態では流路基板２１の材料にＣＯＰ（水の接触角約１１０°）を選択した。
【００８４】
反応部Ｆには、ターゲットＤＮＡのプライマーとゼラチンの水溶解液が点着後冷却固化、固定されている。プライマーは、ターゲットＤＮＡの特定部分に相補的な塩基配列を有する２０塩基長程度のオリゴヌクレオチドであり、ポリメラーゼによるＤＮＡの合成の起点となる。本実施の形態では１３個の反応検出セル２７ａ〜２７ｍが構成されており、検査対象の遺伝子に対して、ｗｉｌｄとｍｕｔａｎｔの配列に特異的に増幅反応を行うために、ｗｉｌｄを増幅させるプライマー６１及び、ｍｕｔａｎｔを増幅させるためのプライマー６３を一対として、それぞれ異なる反応・検出セルに固定している。
【００８５】
すなわち、１２個の反応検出セル２７ａ〜２７ｌで６ケ所Ｄ１〜Ｄ６の遺伝子を検査対象としている。残りの１ケ所ＰＤの反応検出セル２７ｍには、多型の存在しない遺伝子配列を増幅させるためのプライマー６５が固定されており、このセルはポジコンとして用いられる。第１混合部４９、第２混合部５１で混合された検体は、各反応検出セル２７ａ〜２７ｍに定量分注される。
【００８６】
図９はプライマーが混合拡散された図４のＰ２−Ｐ２断面視を（ａ）、その要部拡大図を（ｂ）に表した反応検出セルの説明図である。
この反応検出セル２７ａ〜２７ｍを６０℃に加熱することにより、固化したゼラチンが溶解し、各反応検出セル２７ａ〜２７ｍ内に分散し、等温増幅反応が行われる。プライマーの水溶液のみを反応検出セル２７に点着し、乾燥固定化することもできるが、この場合、セル内に液体が流入した際に、プライマーが流れ方向に流されてしまい、セル内での反応、検出が行えない。このため、常温の水溶液では溶解しにくいゼラチンを０．５％含有させて点着、固化した。
【００８７】
プライマーとゼラチンの水溶液は流路基板２１側のセルに点着固定しており、マイクロチップ使用状態では図９に示すように、流路の上面に配置されている。液体が流入後、蓋材２３側すなわち下面から加熱されることにより、液体の温度上昇に伴って溶解したプライマー６１を含むゼラチンｇｅは、その比重が大きいため重力により流路内下側に流動する。また、液体は下面より加熱されることにより、セル内で対流６７を起こす。このゼラチンｇｅの重力による流路下側への流動と、液体の加熱による対流６７の相乗効果により、プライマー６１及びゼラチンｇｅは反応検出セル２７内に短時間で均一に混合拡散される。
【００８８】
図１０は反応検出セルの拡大平面図である。
各反応検出セル２７ａ〜２７ｍの前後には反応検出セル入り口流路６９と反応検出セル出口流路７１が配置され、この入り口出口流路６９，７１は細い流路となっている。分注後の液体の端面は、入り口流路６９と主流路７３の接続面、及び出口流路７１と排気流路７５の接続面に留まっている。反応部Ｆには加熱部７７が形成され、加熱部７７は、加熱を均一に行うために、上記の掘り込み３１によって、流路基板２１の厚みが１．２ｍｍ程度に薄くなっている。加熱部７７は、反応検出セル２７全体と、入り口出口流路６９，７１の一部分までを加熱する配置になっており、加熱部７７以外は、他の温度調整手段によって常温に温度調節されている。すなわち、反応検出セル２７内の液体の両端面は、加熱されることなく、常温に保持される。このことにより、加熱により水分が蒸発することを防ぐことができる。この加熱部７７及びその周りの温度調節手段が、図１の温調部１５を構成している。
【００８９】
入り口出口流路６９，７１、主流路７３、排気流路７５は、定量分注流路Ｇを構成している。定量分注流路Ｇは、酵素混合部Ｅで処理された第２混合液を反応部Ｆの複数の反応検出セル２７それぞれに定量分注する。
【００９０】
反応検出セル２７に定量分注された液体は、生態細胞を有する検体液、前処理試薬、反応増幅試薬を含む。反応検出セル２７には核酸の断片であるプライマー６１、６３、…が実装されており、この反応検出セル２７に液体を定量分注し、加熱しながら励起光を照射する事により、液処理部内で発生する蛍光を検出する。反応検出セル２７では、被検出物質の核酸増幅反応が行われる。この際、検知感度の高い標識物質である発光性物質を担持した特異的な相互作用を有する標識化物質、例えば標識化抗体や標識化抗原又は標識化核酸等が用いられる。サイバーグリーンは、反応によって増幅された２本鎖ＤＮＡにインターカレートすることにより、強い蛍光を発する。この蛍光強度を測定することにより、ターゲットとする遺伝子配列の存在の有無が検出可能となる。
【００９１】
図１１はターゲット配列がある場合を（ａ）、ターゲット配列が無い場合を（ｂ）に表した蛍光測定結果のグラフである。
反応検出セル２７ａ〜２７ｍは、光学系により、約４９０ｎｍの波長で励起し、インターカレートしたサイバーグリーンの約５２０ｎｍの蛍光を測定することにより、ターゲットＤＮＡの増幅が確認される。すなわち、図１１に示すように、ターゲットとする核酸配列が存在する場合には、蛍光強度Ｉの増加が確認され、存在しない場合には蛍光強度Ｉの増加が確認されない。
【００９２】
反応部Ｆでは、反応検出セル２７ａ〜２７ｍへの分注時に液体がスムーズに進入し、出口部でのラプラス圧バルブによる停止が安定に行えるためには、反応検出セル２７とその前後の細い入り口出口流路６９，７１は適度に親水的であることが望ましい。本実施の形態では、少なくとも入り口出口流路６９，７１が、プラズマ照射により親水化されている（水の接触角約７０°）。
【００９３】
流路基板２１を部分的に親水化、又は撥水化する方法としては、プラズマ照射以外に公知の方法（親水化／撥水化処理液を塗布する方法、ＵＶ照射、蒸着やスパッタにより親水化／撥水化材料の薄膜を形成する方法、２色成形やインサート成形により、濡れ性の異なる樹脂を用いて成形する方法等）を用いることができる。本実施の形態では、各流路（少なくとも入り口出口流路６９，７１）の流路内面が、少なくとも２段階以上の濡れ性を有している。これにより、各反応検出セル２７ａ〜２７ｍへの分注時に液体がスムーズに進入し、出口部でのラプラス圧バルブによる停止が安定に行えるようになっている。
【００９４】
ここで、反応検出部内における発泡について説明する。
図１２は反応検出部の発泡状況を（ａ）〜（ｃ）に表した平面図、図１３は反応検出部の発泡防止策を表した要部断面図である。
反応検出セル２７ａ〜２７ｍを加熱する際、反応検出セル２７内に気泡が発生すると、蛍光検出の精度が低下するという問題がある。このため、流路では気泡発生を防止する必要がある。気泡の発生メカニズムは、図１２に示すように、反応検出セル２７内に混合液が流入する際に、反応検出セル２７に、流路断面Ｒ（流路隅部の面取り半径）、接着剤塗布ムラ、ウエルドライン等の何らかの原因により微小空間が形成されていると、この微小空間内に混合液が流入することができず、微小な濡れ残り、すなわち、微小な空気だまりができることによる。この空気だまりが加熱により膨張、増大することによって気泡が発生する。
【００９５】
微小空間の代表的な例としては、図１３のａ部に示す流路の断面Ｒと蓋材２３の接合部で構成される微小空間８１が挙げられる。これを防止する手段としては、図１３のｂ部に示すように、流路８３の断面Ｒを極力小さくする（１００μｍ以下が望ましく、１０μｍ以下がさらに望ましい）ことが有効である。
【００９６】
また、別の手段としては、図１３のｃ部に示すように、接着剤７９の塗布条件や貼り付け条件を最適化することにより、流路８３の断面Ｒと蓋材２３により構成される微小空間８１を接着剤７９により充填してしまうという方法もある。
【００９７】
微小空間８１の他の例として、図１３のｄ部に示すように、蓋材２３の接着剤７９や、接着剤７９の塗布ムラがある。接着剤面の塗布ムラにより、微小空間８１が形成されていると、流路断面のＲ同様に微小空間８１が形成され、発泡の原因となる。他の例としては、図１３のｅ部に示すように、射出成形によって製作された流路基板２１のウエルドライン８５があり、このウエルドライン８５が同様の微小空間８１を形成していると発泡の原因となる。このため、特に反応部Ｆの流路内面は、流路内を液体が流れる際に該液体により充填されない微小な隙間空間の形成を防止する連続した円滑面からなることが好ましい。これにより、加熱の際に流路内に気泡が発生しなくなり、蛍光検出精度の低下が防止される。このように、発泡を防止するために、上記した解決手段から適宜なものを選択することにより、液体が流入する時、液体の流入可能な微小空間８１が形成されていないようにすることが必要となる。
【００９８】
本実施の形態では、上記のように、６組の一塩基多型を判定するための１２個の反応検出セル２７ａ〜２７ｌと、ポジコン用の１個の反応検出セル２７ｍにより構成されている。ポジコン用反応検出セル２７ｍには、多型が存在しない遺伝子配列部をターゲットとするプライマー６５が実装されており、どんな検体を検査しても、蛍光強度の増大が確認される。このポジコン用反応検出セル２７ｍの蛍光を確認することにより、一連の送液操作が正常に行われ、且つ正常な反応が行われたことを確認することができ、検査結果の信頼性を保障することが可能となる。
【００９９】
また、ネガコンの保障方法としては、血液の代わりに水を投入して一連の反応を行わせ、蛍光強度の増大が無いことを確認しても良いし、同一基板上に２組の回路を形成し、検査とネガコンの保障を同時に行っても良い。
【０１００】
有限な液体をマイクロ流体チップ１００で操作する場合、特に、能動的なバルブやポンプを内蔵していないシンプルな流路により構成されているマイクロ流体チップ１００で、液体の複雑なハンドリングをチップ外部からの空圧駆動で行うには、液体の位置を正確に検出することが不可欠となる。液体の位置を検出しないで、例えば駆動空気の流量で制御しようとすると、ポンプからマイクロ流体チップ１００のポート部ＰＴまでの配管や、チップ内の流路の空気の体積（デッドボリューム）の温度変化による膨張や収縮、流路内の微小な傷や静電気による流量抵抗の変化、或いは流体を加熱した時に流体が蒸発することによる蒸気圧の影響などの外乱により、再現性良く液体をハンドリングすることは困難となる。このため、液体の位置を正確に検出することは非常に重要となる。
【０１０１】
マイクロ流体チップ１００は、液流路の特定位置において液流路内の液体の先端部、後端部の少なくともいずれかを検出し、検出のされたタイミングに応じて液体の制御動作条件を決定する。これにより、ピペッティングの操作、装置への出し入れ等の煩雑な操作を不要にして、液流路内での検体中のＤＮＡの抽出或いは増幅等の反応が可能となる。液体の制御動作条件は、液体に対する移動の方向、移動速度、移動のための駆動力のうち、少なくとも１つを含むものであれば、液流路内における送液の移動制御が可能となる。また、液体移動の方向、移動速度、駆動力の全てを制御可能とした構成によれば、これらの動作条件が自在に切り替えられることで、ピペッティングの操作、装置への出し入れ等を行うのと同等の送液制御が可能となる。
【０１０２】
本実施の形態では、液体の位置を検出することにより、液体の駆動速度、駆動方向、駆動力の制御を、検査装置１１の制御部１９によって切り替えている。ここで駆動力とは、一定圧力による吸引や加圧以外に、ポート部ＰＴの大気開放、閉状態、及び複数ポート部ＰＴの連結状態を含むものとする。
【０１０３】
図１４は液位置検出部の平面視を（ａ）、そのＰ１−Ｐ１断面視を（ｂ）に表した説明図、図１５は液位置検出部の入反射光を表した模式図、図１６は反射率と入射角度との相関を表したグラフである。
マイクロ流体チップ１００には液位置検出のためのセンシング部ＰＨ１〜５（図１，図４参照）が配置されている。本実施の形態では、このセンシング部ＰＨ１〜５に対向する位置に、液位置検出部１６が配置される。図１には纏めて１つの液位置検出部１６を示しているが、センシング部ＰＨ１〜５の合計５箇所それぞれに対向して配置される。この液位置検出部１６の具体例として、図１４に示す反射型光ファイバーセンサー８７が使用されている。各ファイバーセンサー８７の先端は、図１４に示すように、チップ１００の蓋材２３側から流路８３に向けて配置されている。
【０１０４】
反射型光ファイバーセンサー８７は、流路８３の特定位置に光を照射して流路８３からの反射光を検出し、特定位置おける流路内の液体の有無を、反射光の空気と液体との屈折率変化に基づく光量変化から判定する。したがって、チップ１００の外部から光りを照射し、その反射光の屈折率変化によって判定が可能となるので、流路８３にセンサ等が露出せず、検体液の汚染されることがない。また、超音波を利用した場合の振動が発生せず、反応液等との混ざり具合にバラツキの発生することがない。
【０１０５】
具体的には、反射型光ファイバーセンサー８７は、特定位置を照射する光を投光側光ファイバー８９を通じて供給し、流路８３からの反射光を受光側光ファイバー９１に導入して検出する。この反射型光ファイバーセンサー８７によれば、照射光と反射光を、投光側光ファイバー８９と受光側光ファイバー９１を統合した小面積なファイバー先端面で行うことができ、小面積の被検出領域に対する光照射及び当該照射領域からの反射光の受光が可能となり、微小な流路８３の特定位置における液体の有無が検出可能となる。
【０１０６】
反射型光ファイバーセンサー８７の受光側光ファイバー９１は、チップ１００より反射される反射光の強度を検出する。
流路８３中の液滴のあり／なしは、主に蓋材２３の流路側面からの反射率が流路中に空気がある場合と、水がある場合の反射率の違いにより検出することができる。
【０１０７】
一般に、図１５に示すような入射光に対する反射率は次式で表される。
【０１０８】
【数１】
2008151771.tif 000003
【０１０９】
ここで、Rp：p偏光、Rs：ｓ偏光であり、n=n2/n1とおいた。
【数２】
2008151771.tif 000004
【０１１０】
とおき、蓋材２３の屈折率をn1＝1.49、流路８３中の流体の屈折率を
液滴なしの場合・・・n2（空気）＝1.00
液滴ありの場合・・・n2（水）＝1.33
とおいて計算すると、流路８３中の流体が空気の場合と水の場合とで図１６のような反射率の違いを求めることができる。
【０１１１】
使用している投光側光ファイバー８９の投光の広がり角が60°の場合、図１６の0°から30°の範囲で考えればよく、流路８３中の流体が空気の場合は反射率が約４％、水の場合は０．５％以下になる。この違いにより、液滴の有り無しで反射型光ファイバーセンサー８７の受光量が変化し、液滴の到着を検出することができる。
【０１１２】
また、図１６から読み取れるように、入射角度が大きくなるにつれて、空気と水の反射率の差は大きくなることより、反射型光ファイバーセンサー８７は、図１７のように投光側と受光側のファイバー８９，９１を分離タイプとして、チップ１００に対して角度を持たせた配置とすることができる。ここで、図１７は投光側光ファイバーと受光側光ファイバーとが傾斜配置された液位置検出部の側面図である。同図の構成では、流路８３の特定位置への光照射方向と、特定位置からの反射光の検出方向とが、特定位置の光照射面の法線９３に対してそれぞれ傾斜する方向に設定されている。このような構成によれば、空気の存在時に反射光が受光側光ファイバー９１から外れ、液体存在時に反射光が受光側光ファイバー９１へ入射する傾斜角度とされることで、屈折率変化に基づいた液体の検出が簡素な構造で、さらに安定して検出できるようになる。投光側光ファイバーと受光側光ファイバーのファイバー径、出射光・入射光角度、ファイバーの配置、使用本数等は、検出する流路の形状に応じて実験的あるいは光学シミュレーションにより最適化する事ができる。
【０１１３】
このように、反射型光ファイバーセンサー８７による検出は、空気と流体の屈折率の差を検出するものであり、流体の光透過率や、光の散乱を検出する原理による検出方法と比較して、流体中の溶解物質の種類やその濃度変化があっても、安定して検出することができるという利点を備えている。
【０１１４】
上記の構成を有する本実施の形態によるマイクロ流体チップ１００によれば、
(1)検体液と前処理試薬とを投入する第１ポートＰＴ−Ａと、
(2)反応増幅試薬を投入する第２ポートＰＴ−Ｄと、
(3)流路内に空気圧を供給する第３ポートＰＴ−Ｂと、
(4)第１ポートＰＴ−Ａから投入された検体液と前処理試薬とを混合して第１混合液を生成する検体混合部Ａと、
(5)第１混合液を加熱して生体細胞よりＤＮＡを抽出し１本鎖に分解する被加熱部Ｂと、
(6)被加熱部Ｂで処理された第１混合液に反応増幅試薬を合流させる試薬合流部Ｃと、
(7)試薬合流部Ｃで合流された第２の混合液が通過することにより溶解が進む酵素を固化実装した酵素保持部Ｄと、
(8)酵素保持部Ｄで処理される第２の混合液への酵素の混合を助長する酵素混合部Ｅと、
(9)酵素混合部Ｅに接続され、流路内に固化実装されたプライマーの溶解、加熱によるＤＮＡ増幅、このＤＮＡ増幅の検出を同一位置で行う複数の反応検出セル２７からなる反応部Ｆと、
(10)複数の反応検出セル２７に接続され酵素混合部Ｅで処理された第２混合液を複数の反応検出セル２７のそれぞれに定量分注するための定量分注流路Ｇと、
を備えたので、立体的に複雑な構造を必要とせず、簡単な構造で複雑な送液制御が行えるとともに、ピペッティングの操作、装置への出し入れ等の煩雑な操作が不要になり、熟練を要さない簡単な操作で、正確かつ信頼性の高い分析結果を低コスト、短時間で得ることができる。
【０１１５】
次に、上記のマイクロ流体チップ１００を使用した送液フローについて説明する。
図１８はマイクロ流体チップの駆動制御に伴う各要素の作動状態を時間軸に沿って表したタイムチャート、図１９は液セットから最初の加熱までの動作説明図、図２０は酵素混合までの動作説明図、図２１は反応部注入までの動作説明図、図２２は分注から検査完了までの動作説明図である。
以下の説明においては、図１８の制御動作Ｖ１〜Ｖ１３と図１９〜図２２の各ステップＳ１〜Ｓ１９における状態を対応させて説明する。
先ず、チップ１００を準備し、検査装置１１のＲＥＡＤＹスイッチを押す（Ｖ１、Ｓ１）。そして、第２ポートＰＴ−Ｄに反応増幅試薬を投入する（Ｓ２）。第２ポートＰＴ−Ｄにおける流路の毛細管力の大小関係は、ポートＤ出口流路４５＞主流路４７＞第２ポートＰＴ−Ｄという関係になっており、ポートＤ出口流路４５と主流路４７の接続部はラプラス圧バルブが構成されている。このため、反応増幅試薬は主流路４７に流出することなく、ポートＤ出口流路４５と主流路４７の接続面で留まる。
【０１１６】
次いで、第１ポートＰＴ−Ａに血液と前処理試薬を投入する（Ｓ３）。チップ１００を検査装置１１にセットし、検査装置１１のＳＴＡＲＴスイッチを押す（Ｖ２）。すると、第１ポートＰＴ−Ａ、第２ポートＰＴ−Ｄ、第３ポートＰＴ−Ｂ、第４ポートＰＴ−Ｃにポートパッドが押し付けられる。この時、第１ポートＰＴ−Ａ、第２ポートＰＴ−Ｄ、第３ポートＰＴ−Ｂ、第４ポートＰＴ−Ｃに対応するパッドは大気開放状態になっており、パッドが押し付けられる事によりチップに投入されている液体が移動する事がない。そして、パッド押し付けが完了すると、第３ポートＰＴ−Ｂが減圧され（Ｖ３）、血液と前処理試薬Ｌが検体混合部Ａを高速（１００μＬ／ｍｉｎ）に通過することにより均一に混合される（Ｓ４）。第２ポートＰＴ−Ｄは、第３ポートＰＴ−Ｂと同一の減圧で吸引されており、血液と前処理試薬の送液抵抗が大きくても、第２ポートＰＴ−Ｄ内の前処理試薬が流路に流出することがない。
【０１１７】
液がセンシング位置ＰＨ１に到達し、液位置検出部のセンサーＰＨ−１が液を検出してＯＮ状態になると（Ｖ４）、第３ポートＰＴ−Ｂが加圧され、定量（１０μＬ）の液を高速（１００μＬ／ｍｉｎ）で逆向きの上流方向に向かって送液する（Ｓ５）。その後、第３ポートＰＴ−Ｂが減圧され、定量（１０μＬ）の液を高速（１００μＬ／ｍｉｎ）で下流方向に向かって送液する。この往復動作により、液をより均一に混合することができる。
【０１１８】
次に、吸引速度が低速（３０μｌ／ｍｉｎ）に切り替えられる（Ｓ６）。
被加熱部Ｂを液が低速（３０μｌ／ｍｉｎ）で通過することにより（Ｓ７）、血液と前処理試薬の混合液Ｌは一定時間（例えば１５秒間）、９８℃に加熱され、白血球中のＤＮＡが抽出され、１本鎖となる。
そして、液がセンシング位置ＰＨ２に到達し、センサーＰＨ−２がＯＮすると（Ｖ５）、第２ポートＰＴ−Ｄが大気開放となり、同時に第１ポートＰＴ−Ａが閉となり、第３ポートＰＴ−Ｂからの吸引により、第２ポートＰＴ−Ｄから増幅反応試薬が主流路４７に流出する（Ｓ８）。これにより、血液と前処理試薬の混合液Ｌとを、泡を含むことなく合流させる（Ｓ９）。
【０１１９】
その後、液がセンシング位置ＰＨ３に到達し、センサーＰＨ−３がＯＮすると（Ｖ６）、吸引速度が高速（１００μｌ／ｍｉｎ）に切り替えられ、一定流量（４５μｌ）が吸引される（Ｓ１０）。
そして、第１ポートＰＴ−Ａが大気開放となり（Ｖ７）、さらに１５μＬ吸引されることで、第２ポートＰＴ−Ｄは空になり、第１混合部Ｅ１で液が混合される（Ｓ１１）。
さらに高速（４０００μｌ／ｍｉｎ）で８０μＬ吸引されることにより（Ｖ８）、混合液Ｌは、第１流路部１１１Ａ、酵素保持部Ｄを通過し、酵素が溶解され、第１流路部１１１Ｂで混合される（Ｓ１２）。
【０１２０】
さらに低速（２００μｌ／ｍｉｎ）で８０μＬ加圧されることにより（Ｖ９）、混合液Ｌは第１流路部１１１Ａに戻され、酵素溶解時に発生した微小な気泡は液移動速度よりも遅いため液後端部に集まり、混合液Ｌの移動に伴って気泡が液体から離れて流路壁に付着し、弾けて消滅する。（Ｓ１３）。
【０１２１】
さらに高速（４０００μｌ／ｍｉｎ）で８０μＬ吸引されることにより（Ｖ１０）、液体は第１流路部１１１Ｂで混合される（Ｓ１４）。
同様の往復動作を、後段の第２混合部Ｅ２でも行うことにより、液体は均一に混合される。つまり、混合液Ｌは、第１混合部Ｅ１の第１流路部１１１Ｂから第２混合部Ｅ２の第１流路部１１１Ｃに搬送され（Ｓ１５）、さらに第１流路部１１１Ｄに送られ（Ｓ１６）、そして第１流路部１１１Ｄから第１流路部１１１Ｃに戻される。この第２混合部Ｅ２においても、複数回にわたる混合液Ｌの往復動作が行われる。
【０１２２】
次に、第３ポートＰＴ−Ｂより、低速（３０μｌ／ｍｉｎ）で吸引することにより（Ｖ１１）、第２混合部Ｅ２の第２流路部１１１Ｄの混合液Ｌは、反応部Ｆの流路に搬送される（Ｓ１７）。
【０１２３】
液がセンシング位置ＰＨ５に到達し、センサーＰＨ−５がＯＮすると（Ｖ１２）、第３ポートＰＴ−Ｂは閉状態になり、第４ポートＰＴ−Ｃが低速（５０μｌ／ｍｉｎ）で吸引される。混合液Ｌは、反応検出セル２７内に搬送され（Ｓ１８）、セル下流の反応検出セル出口流路７１の小径部７１ａで停止する（Ｓ１９）。この停止タイミングは、圧力センサーＰＳがある一定の圧力に達した時点で反応検出セル２７への分注完了と判断できる。
【０１２４】
この時、各反応検出セル２７は常温に保たれており、予めゼラチンにより固定化されているプライマーは溶解することなくセル内に保持されている。
【０１２５】
次に、検査装置１１のパッドデバイスが離脱し、図示しないシールデバイスにより、各ポート部ＰＴ−Ａ，Ｂ，Ｃ，Ｄには、ラベルＲａ，Ｒｂ，Ｒｃ，Ｒｄ（図５参照）が貼り付けられ、チップ１００は密閉状態となり、幅反応による増幅産物がチップ外に流出することにより、環境を汚染する心配がなくなる。
【０１２６】
次に反応部Ｆは、図示しない温調デバイスにより、６０℃に急速に加熱される。加熱により、ゼラチンにより固定化されていたプライマーは、反応検出セル２７内に均一に拡散し、等温増幅反応が始まる。
このとき、反応検出セル２７両端の細い反応検出セル入り口流路６９と反応検出セル出口流路７１との液体端面は６０℃に加熱されることなく、常温に保たれており、反応検出セル２７内の液体が蒸発してしまうことがない。
【０１２７】
各反応検出セル２７ａ〜２７ｍを図１に示す蛍光検出部１７で励起光を照射し一定時間間隔で蛍光測定することにより、各反応検出セル２７ａ〜２７ｍに予め実装していたプライマーに対応するターゲット遺伝子配列が存在しているかどうかを知ることができる。ターゲット遺伝子配列が存在している場合には、蛍光強度の増大が確認されるのに対して、ターゲット遺伝子配列が存在していない場合には、蛍光強度の増大がない。
【０１２８】
したがって、本実施の形態によるマイクロ流体チップ１００によれば、検体液と前処理試薬とを投入する第１ポートＰＴ−Ａ、反応増幅試薬を投入する第２ポートＰＴ−Ｄ、流路内に空気圧を供給する第３ポートＰＴ−Ｂに加え、各種試薬との混合、混合液の定量分注のための流路を構成手段として備え、液流路内の液体の先端部、後端部の少なくともいずれかを検出し、この検出のされたタイミングに応じて液体の制御動作条件を決定することにより、有限な液体が、特に、能動的なバルブやポンプを内臓していないシンプルな流路によって、チップ１００の外部からの空圧駆動で複雑にハンドリング可能となる。つまり、立体的に複雑な構造を必要とせず、簡単な構造で送液制御が可能となる。これにより、検体と液体試薬を投入するだけで、自動的に所望の液滴操作、化学反応を行い、ピペッティングの操作、装置への出し入れ等の煩雑な操作を不要にして、高い分析結果が得られる。
【０１２９】
次に、本発明に係るマイクロ流体チップの他の実施形態を説明する。
図２３は本実施形態におけるマイクロ流体チップの下面視を表した平面図である。図４と同一の部材には同一の符号を付与することでその説明は省略する。
本実施形態のマイクロ流体チップ２００の構成では、第４の流路（酵素保持部）Ｄと、酵素保持部Ｄで処理される第２混合液への酵素の混合を助長する第５の流路（酵素混合部）Ｅの構成が前述の実施形態の構成と異なっている。
酵素混合部Ｅは、図２３に示すように、液溜め室である第１混合部４９と第２混合部５１とを有する。酵素保持部Ｄは、第１混合部４９と第２混合部５１との間に設けられ、第１保持部５３と第２保持部５５とからなる。第１保持部５３は、第１混合部４９と第２混合部５１の間に設置された、試薬保持用のセルであり、ポリミラーゼとデキストリンの水溶解液を点着後、凍結乾燥により乾燥、固化した試薬５７が保持される。
【０１３０】
この保持部の上流と下流の流路は、その保持部より細くなっており、乾燥固化した試薬５７の流路への密着力が無い場合でも、チップ２００の保存、運搬等の振動により固化試薬５７が剥がれ落ちて前後の流路へ流出してしまうことを防いでいる。
【０１３１】
次に、上記のマイクロ流体チップ２００を使用した送液フローについて説明する。
図２４はマイクロ流体チップの駆動制御に伴う各要素の作動状態を時間軸に沿って表したタイムチャート、図２５は液セットから最初の加熱までの動作説明図、図２６は酵素混合までの動作説明図、図２７は反応部注入までの動作説明図、図２８は分注から検査完了までの動作説明図である。
以下の説明においては、図２４の制御動作Ｖ１〜Ｖ１３と図２５〜図２８の各ステップＳ１〜Ｓ２０における状態を対応させて説明する。
先ず、チップ２００を準備し、検査装置１１のＲＥＡＤＹスイッチを押す（Ｖ１、Ｓ１）。そして、第２ポートＰＴ−Ｄに反応増幅試薬を投入する（Ｓ２）。第２ポートＰＴ−Ｄにおける流路の毛細管力の大小関係は、ポートＤ出口流路４５＞主流路４７＞第２ポートＰＴ−Ｄという関係になっており、ポートＤ出口流路４５と主流路４７の接続部はラプラス圧バルブが構成されている。このため、反応増幅試薬は主流路４７に流出することなく、ポートＤ出口流路４５と主流路４７の接続面で留まる。
【０１３２】
次いで、第１ポートＰＴ−Ａに血液と前処理試薬を投入する（Ｓ３）。チップ２００を検査装置１１にセットし、検査装置１１のＳＴＡＲＴスイッチを押す（Ｖ２）。すると、第１ポートＰＴ−Ａ、第２ポートＰＴ−Ｄ、第３ポートＰＴ−Ｂ、第４ポートＰＴ−Ｃにポートパッドが押し付けられる。この時、第１ポートＰＴ−Ａ、第２ポートＰＴ−Ｄ、第３ポートＰＴ−Ｂ、第４ポートＰＴ−Ｃに対応するパッドは大気開放状態になっており、パッドが押し付けられる事によりチップに投入されている液体が移動する事がない。そして、パッド押し付けが完了すると、第３ポートＰＴ−Ｂが減圧され（Ｖ３）、血液と前処理試薬Ｌが検体混合部Ａを高速（１００μＬ／ｍｉｎ）に通過することにより均一に混合される（Ｓ４）。第２ポートＰＴ−Ｄは、第３ポートＰＴ−Ｂと同一の減圧で吸引されており、血液と前処理試薬の送液抵抗が大きくても、第２ポートＰＴ−Ｄ内の前処理試薬が流路に流出することがない。
【０１３３】
液がセンシング位置ＰＨ１に到達し、液位置検出部のセンサーＰＨ−１がＯＮし（Ｖ４）、次に、吸引速度が低速（３０μｌ／ｍｉｎ）に切り替えられる（Ｓ５）。
被加熱部Ｂを液が低速（３０μｌ／ｍｉｎ）で通過することにより（Ｓ６）、血液と前処理試薬の混合液Ｌは一定時間（例えば１５秒間）、９８℃に加熱され、白血球中のＤＮＡが抽出され、１本鎖となる。
液がセンシング位置ＰＨ２に到達し、センサーＰＨ−２がＯＮすると（Ｖ５）、第２ポートＰＴ−Ｄが大気開放となり、同時に第１ポートＰＴ−Ａが閉となり、吸引により、第２ポートＰＴ−Ｄのみから増幅反応試薬が流出し（Ｓ７）、血液と前処理試薬の混合液Ｌと泡を含むことなく合流する（Ｓ８）。
【０１３４】
液がセンシング位置ＰＨ３に到達し、センサーＰＨ−３がＯＮすると（Ｖ６）、吸引速度が高速（１００μｌ／ｍｉｎ）に切り替えられ、一定流量（４５μｌ）が吸引される（Ｓ９，Ｓ１０）。
そして、第１ポートＰＴ−Ａが大気開放となり（Ｖ７）、さらに１５μＬ吸引され、第２ポートＰＴ−Ｄは空になり、第１混合部４９で混合される（Ｓ１１）。
さらに高速（５００μｌ／ｍｉｎ）で８０μＬ吸引されることにより（Ｖ８）、混合液Ｌは第１保持部５３、第２保持部５５を通過し、酵素が溶解され、第２混合部５１で混合される（Ｓ１２）。
【０１３５】
さらに高速（５００μｌ／ｍｉｎ）で８０μＬ加圧されることにより（Ｖ９）、混合液Ｌは第１混合部４９に搬送され、未溶解の酵素が溶解され、第１混合部４９で混合される（Ｓ１３）。
さらに高速（５００μｌ／ｍｉｎ）で８０μＬ吸引されることにより（Ｖ１０）、第１保持部５３、第２保持部５５の酵素は完全に溶解され、また液体は第２混合部５１で混合される（Ｓ１４）。
同様の往復動作を次の往復混合流路部でも行うことにより、液体は均一に混合される。
次に、第３ポートＰＴ−Ｂより、０．２ｋＰａ低速（３０μｌ／ｍｉｎ）で吸引することにより（Ｖ１１）、第２混合部５１の混合液Ｌは、反応部Ｆの流路に搬送される（Ｓ１５）。
【０１３６】
液がセンシング位置ＰＨ５に到達し、センサーＰＨ−５がＯＮすると（Ｖ１２）、第３ポートＰＴ−Ｂは閉状態になり、第４ポートＰＴ−Ｃが０．３ｋＰａ低速（５０μｌ／ｍｉｎ）で吸引され、この状態が５秒間保持される。混合液Ｌは、反応検出セル２７内に搬送され、セル下流の細い反応検出セル出口流路７１で停止する（Ｓ１６，Ｓ１７，Ｓ１８）。圧力センサーＰＳがある一定の圧力に達した時点で分注完了と判断できる。
【０１３７】
この時、各反応検出セル２７は常温に保たれており、予めゼラチンにより固定化されているプライマーは溶解することなくセル内に保持されている。
次に、第４ポートＰＴ−Ｃを閉状態とし（Ｖ１３）、第３ポートＰＴ−Ｂより１００μｌ／ｍｉｎの速度で加圧することにより、反応検出セル２７を連結している主流路７３内の混合液は第２混合部５１に押し戻され（Ｓ１９）、各反応検出セル２７には、２．５μＬの混合液Ｌが秤量分注され、これらはお互いに液で連結していない状態となる（Ｓ２０）。
【０１３８】
以上、第５の流路（酵素混合部）Ｅの構成を簡略化した本実施形態の構成によっても、第１実施形態と同様の作用効果を得ることができる。
【産業上の利用可能性】
【０１３９】
本発明に係るマイクロ流体チップは、検体液と前処理試薬とを投入する第１ポート、反応増幅試薬を投入する第２ポート、流路内に空気圧を供給する第３ポートに加え、各種試薬との混合、混合液の定量分注のための流路を構成手段として備えることにより、有限な液体が、特に、能動的なバルブやポンプを内臓していないシンプルな流路によっても、チップ外部からの空圧駆動で複雑にハンドリング可能となる。よって、簡単な構造で送液制御が可能となり、検体と液体試薬を投入するだけで、自動的に所望の液滴操作、化学反応を行い、ピペッティングの操作、装置への出し入れ等の煩雑な操作を不要にして、高い分析結果を得ることができる。
【図面の簡単な説明】
【０１４０】
【図１】本発明に係るマイクロ流体チップを検査装置の概略構成と共に表したブロック図である。
【図２】図１に示したマイクロ流体チップの分解斜視図である。
【図３】マイクロ流体チップの上面視を（ａ）、下面視を（ｂ）に表した平面図である。
【図４】図３（ｂ）の拡大図である。
【図５】閉塞部材の貼着前のチップ下面を表した分解斜視図である。
【図６】ポート出口流路の近傍を表す要部拡大平面図である。
【図７】第１混合部と第２混合部の拡大図である。
【図８】第１流路部の幅とメニスカスの長さとの関係を示す説明図（ａ），（ｂ）である。
【図９】プライマーが混合拡散された図４のＰ２−Ｐ２断面視を（ａ）、その要部拡大図を（ｂ）に表した反応検出セルの説明図である。
【図１０】反応検出セルの拡大平面図である。
【図１１】ターゲット配列がある場合を（ａ）、ターゲット配列が無い場合を（ｂ）に表した蛍光測定結果のグラフである。
【図１２】反応検出部の発泡状況を（ａ）〜（ｃ）に表した平面図である。
【図１３】反応検出部の発泡防止策を表した要部断面図である。
【図１４】液位置検出部の平面視を（ａ）、そのＰ１−Ｐ１断面視を（ｂ）に表した説明図である。
【図１５】液位置検出部の入反射光を表した模式図である。
【図１６】反射率と入射角度との相関を表したグラフである。
【図１７】投光側光ファイバーと受光側光ファイバーとが傾斜配置された液位置検出部の側面図である。
【図１８】マイクロ流体チップの駆動制御に伴う各要素の作動状態を時間軸に沿って表したタイムチャートである。
【図１９】液セットから最初の加熱までの動作説明図（ｓ１）〜（ｓ６）である。
【図２０】第２液を合流させてから酵素混合までの動作説明図（ｓ７）〜（ｓ１２）である。
【図２１】混合処理から反応部注入までの動作説明図（ｓ１３）〜（ｓ１８）である。
【図２２】分注を完了させた動作説明図（ｓ１９）である。
【図２３】マイクロ流体チップの下面視を表した平面図である。
【図２４】マイクロ流体チップの駆動制御に伴う各要素の作動状態を時間軸に沿って表したタイムチャートである。
【図２５】液セットから最初の加熱までの動作説明図である。
【図２６】酵素混合までの動作説明図である。
【図２７】反応部注入までの動作説明図である。
【図２８】分注から検査完了までの動作説明図である。
【符号の説明】
【０１４１】
２７  反応検出セル
４１  広幅流路部
４３  狭幅流路部
４５  ポートと連通させるポート出口流路
４７  混合液が送液される主流路
４９  第１混合部（液溜め室）
５１  第２混合部（液溜め室）
６１，６３，６５  プライマー
８１  微小な隙間空間
８３  流路
１００，２００  マイクロ流体チップ
１１１Ａ、１１１Ｂ，１１１Ｃ，１１１Ｄ  第１流路部
１１３，１１５  第２流路部
Ａ  検体混合部（第１の流路）
Ｂ  被加熱部（第２の流路）
Ｃ  試薬合流部（第３の流路）
Ｄ  酵素保持部（第４の流路）
Ｅ  酵素混合部（第５の流路）
Ｅ１  第１混合部
Ｅ２  第２混合部
Ｆ  反応部（第６の流路）
Ｇ  定量分注流路（第７の流路）
Ｒａ，Ｒｂ，Ｒｃ，Ｒｄ  ラベル（閉塞部材）
ＰＴ−Ａ  第１ポート
ＰＴ−Ｂ  第３ポート
ＰＴ−Ｃ  第４ポート
ＰＴ−Ｄ  第２ポート
【図１】
2008151771.tif 000005
【図２】
2008151771.tif 000006
【図３】
2008151771.tif 000007
【図４】
2008151771.tif 000008
【図５】
2008151771.tif 000009
【図６】
2008151771.tif 000010
【図７】
2008151771.tif 000011
【図８】
2008151771.tif 000012
【図９】
2008151771.tif 000013
【図１０】
2008151771.tif 000014
【図１１】
2008151771.tif 000015
【図１２】
2008151771.tif 000016
【図１３】
2008151771.tif 000017
【図１４】
2008151771.tif 000018
【図１５】
2008151771.tif 000019
【図１６】
2008151771.tif 000020
【図１７】
2008151771.tif 000021
【図１８】
2008151771.tif 000022
【図１９】
2008151771.tif 000023
【図２０】
2008151771.tif 000024
【図２１】
2008151771.tif 000025
【図２２】
2008151771.tif 000026
【図２３】
2008151771.tif 000027
【図２４】
2008151771.tif 000028
【図２５】
2008151771.tif 000029
【図２６】
2008151771.tif 000030
【図２７】
2008151771.tif 000031
【図２８】
2008151771.tif 000032